(57)【要約】      （修正有）【課題】携帯を簡便にして現場での修復作業が容易に行なえる管楽器の修理台を得る。【解決手段】横向きにした管楽器の管部を受ける左右に細長い平板状の定盤１１を設け、前記定盤１１を水平に支持する支持台１３を、前記定盤１１に対して着脱可能又は折畳み可能に設け、該支持台１３は、前記定盤１１の左右端部を支持する一対の脚板１６を設け、該脚板１６の前後幅を前記定盤１１の前後幅と略等しくするとともに、該脚板１６の前部の上下中間部に逃げ凹部を形成し、前記各脚板１６を起立保持する保持板１４を設ける。前記各脚板１６は保持板１４に上下軸心を中心として回動可能に連結し、各脚板１６の上面にダボ１７を起立固定し、定盤１１に前記ダボ１７に嵌合するダボ孔１２を設ける。【選択図】図１
0003131490.tif 000002
【実用新案登録請求の範囲】
【請求項１】
横向きにした管楽器の管部を受ける左右に細長い平板状の定盤を設け、前記定盤を水平に支持する支持台を、前記定盤に対して着脱可能又は折畳み可能に設け、該支持台は、前記定盤の左右端部を支持する一対の脚板を設け、該脚板の前後幅を前記定盤の前後幅と略等しくするとともに、該脚板の前部の上下中間部に逃げ凹部を形成し、前記各脚板を起立保持する保持板を設けてなることを特徴とする管楽器の修理台。
【請求項２】
各脚板を保持板に上下軸心を中心として回動可能に連結し、各脚板の上面にダボを起立固定し、定盤に前記ダボに嵌合するダボ孔を設けたことを特徴とする請求項１記載の管楽器の修理台。
【請求項３】
定盤の下面左右端部に脚板を前後軸心を中心として回動可能に連結し、前記定盤の下面に保持板を左右軸心を中心として回動可能に連結し、前記保持板が規定量回動した際に、前記脚板と係合して該脚板を起立保持する係合部を設けたことを特徴とする請求項１記載の管楽器の修理台。
【考案の詳細な説明】
【技術分野】
【０００１】
本考案は、トロンボーン、トランペット、コルネット等の管部を修理する修理台に関し、特に携帯を容易にして現場での修理が簡便に行なえる管楽器の修理台に関するものである。
【背景技術】
【０００２】
一般に、トロンボーン、トランペット、コルネット等の管楽器は、真鍮等の軟質金属で製作されているため、横方向の負荷を受けると、軽い負荷であっても曲がり易く、特にトロンボーンのように、ストレートの管部が長いものにあっては、軽い負荷によって曲がり易く、ストレートの管部がまがると、管同士のスライドが不円滑となり、演奏に支障を来すことになる。この曲がった管部を修理する際には、設備の整ったサービスセンターに送り、ここで修理するようになっている。
【０００３】
ところで、前記サービスセンターでは、図７、図８に示すような修理台を用いて修理するようにしていた。図７、図８において、１は鋼板製の修理台であり、左右の長さＬ２が約４８０ｍｍ、前後の幅Ｗ２が約１５０ｍｍ、高さＨ２が約１５５ｍｍとなる箱形に形成されている。２は前記修理台１の上面をなす定盤であり、該定盤２は、左右の長さＬ２が約４８０ｍｍ、前後の幅Ｗ２が約１５０ｍｍ、厚さＴ２が約１５ｍｍとなる長方形に形成され、該定盤２は第１の締結ボルト７により支持台３に一体的に連結されて水平に支持されるようになっている。
【０００４】
前記支持台３は、定盤２と対応する大きさの底板４を設け、該底板４の左右端部に一対のリブ板５を、後部に背板６をそれぞれ起立配置し、これら三者を第２の締結ボルト８により一体的に連結し、前記各リブ板５，５は、上下中間部の前部が除去され、該前部に逃げ凹部５ａが形成されている。
【０００５】
そして、例えば、図７の仮想線で示すように、トロンボーンのストレート管部３０の曲がり部３０ａを修理する際には、ストレート管部３０の曲がり部３０ａを修理台１の定盤２に沿って載置する。このとき、トロンボーンの他方のストレート管部３０ｂが下方に向く際には、各リブ板５，５が逃げ凹部５ａを介して前記他方のストレート管部３０ｂから退避し、該ストレート管部３０ｂが各リブ板５，５に当たらなくなる。この状態で定盤２の上面２ａに対する前記曲がり部３０ａの曲がり量を確認した後、前記トロンボーンを定盤２から外し、その曲がり部３０ａを手操作で反曲がり方向に撓ませて矯正した後、再度定盤２に当てて修復具合を確認する。この動作を繰り返して前記曲がり部３０ａがストレート管部３０と同軸となるようにする。また、前記各ストレート管部３０，３０ｂの平行度を矯正する際には、各ストレート管部３０，３０ｂを定盤に並列に載置して定盤との間隙量を確認しながら行なう。
【０００６】
前記従来の修理台１は、定盤２と支持台３とが一体的に連結されていること、及び大きさ、形状が作業性のみを考慮して作られていること等により、大型になっているとともに、重量が増大しているため、これを現場に持ち込むことが困難であった。また、管の接続部を溶接修理する際には、定盤２を取り替えることができないので、別の作業台で溶接するようにしていた。
【考案の開示】
【考案が解決しようとする課題】
【０００７】
本考案は、携帯を簡便にして現場での修復作業が容易に、また、共通の支持台により管の曲がり検査、及び溶接等の作業が容易に行なえる管楽器の修理台を得ることを目的とする。
【課題を解決するための手段】
【０００８】
本考案は、上記目的を達成するために以下の如く構成したものである。即ち、請求項１に係る考案は、横向きにした管楽器の管部を受ける左右に細長い平板状の定盤を設け、前記定盤を水平に支持する支持台を、前記定盤に対して着脱可能又は折畳み可能に設け、該支持台は、前記定盤の左右端部を支持する一対の脚板を設け、該脚板の前後幅を前記定盤の前後幅と略等しくするとともに、該脚板の前部の上下中間部に逃げ凹部を形成し、前記各脚板を起立保持する保持板を設ける構成にしたものである。
請求項２に係る考案は、前記各脚板を保持板に上下軸心を中心として回動可能に連結し、各脚板の上面にダボを起立固定し、定盤に前記ダボに嵌合するダボ孔を設けたものである。
請求項３に係る考案は、前記定盤の下面左右端部に脚板を前後軸心を中心として回動可能に連結し、前記定盤の下面に保持板を左右軸心を中心として回動可能に連結し、前記保持板が規定量回動した際に、前記脚板と係合して該脚板を起立保持する係合部を設けたものである。
【考案の効果】
【０００９】
請求項１に係る考案は、支持台を定盤に対して着脱可能又は折畳み可能にしたので、持ち運ぶ際には、定盤と支持台とを重ね合わせて小型にすることができ、現場への持ち運びが容易となる。また、立体状に組み付けることによって定盤が支持台により水平に支持され、該定盤で管の曲がり部を現場で容易に確認することができる。
請求項２に係る考案は、定盤のダボ孔を各脚板のダボから離脱させ、各脚板を回動させて保持板に重ねることによって、定盤と支持台とを面状に重ね合わせることができる。これにより、修理台の持ち運びが容易となる。また、前記各脚板を、上下軸心を中心として保持板に対して直角に回動させ、この状態で定盤のダボ孔を前記各脚板のダボに嵌合させると、該定盤が支持台によって水平に支持され、前述と同様に、管の曲がり部の確認が容易に行なえることになる。また、定盤に換えて作業盤を支持台に取り付けることにより、該作業盤上で管同士を溶接する等、管楽器の修理範囲を拡大させることができる。
請求項３に係る考案は、脚板及び保持板を定盤に回動可能に取り付けたので、修理台の折畳み、及び拡開が迅速に行なえるとともに、部品の紛失がなくなる。
【考案を実施するための最良の形態】
【００１０】
以下本考案の実施例を図面に基づいて説明する。図において、図１は本考案の第１実施例を示す一部断面正面図、図２は図１の一部断面側面図、図３は定盤の離脱状態を示す一部断面正面図、図４は支持台の折畳み状態を示す平面図、図５は本考案の第２実施例を示す一部断面正面図、図６は図５の一部断面側面図である。
【００１１】
図１において、１０は鋼板製の修理台であり、左右の長さＬ１が約４００ｍｍ、前後の幅Ｗ１が約６０ｍｍ、高さＨ１が約１４５ｍｍとなる大きさに形成されている。前記修理台１０は、折畳み式の支持台１３の上部に平板状の定盤１１を着脱可能に係合させてなる。即ち、定盤１１は、左右の長さＬ１が約４００ｍｍ、前後の幅Ｗ１が約６０ｍｍ、厚さＴ１が約１０ｍｍとなる長方形に形成し、左右両端部の下面にダボ孔１２を形成し、該ダボ孔１２を支持台１３のダボ１７に係脱可能に嵌合させる。
【００１２】
前記支持台１２は、起立配置した保持板１４の左右両端部に、それぞれ蝶番１５を上下に向けて取り付け、各蝶番１５の回動片に起立配置した一対の脚板１６を前方に向けて回動可能に連結し、各脚板１６の上端面に、前記ダボ孔１２に係脱可能に嵌合するダボ１７を上方に向けて突出固定してなる。
【００１３】
前記脚板１６は、その前後幅を前記定盤１１の前後幅Ｗ１と等幅にするとともに、その上端部を保持板１４から上方に突出させ、該突出させた上端面で前記定盤１１を受けるようにする。また、前記脚板１６の上下中間部の前部は、図２に示すように、肉部が除去されて後方に凹む逃げ凹部１６ａとする。なお、前記ダボ孔１２及びダボ１７は、定盤１１及び脚板１６の前後方向中心位置とする。図２において、１４ａは保持板１４の軽量化を図る抜き孔、１４ｂは抜き凹部である。
【００１４】
前記第１実施例によれば、各脚板１６，１６を、保持板１４に対して直角（前方）に回動させ、この状態で定盤１１のダボ孔１２を前記各脚板１６，１６のダボ１７に嵌合させると、該定盤１１が支持台１３によって水平に支持される。これにより、従来と同様に管楽器の修理が行なえることになる。即ち、例えば、図１の仮想線で示すように、トロンボーンのストレート管部３０の曲がり部３０ａを修理する際には、ストレート管部３０の曲がり部３０ａを定盤１１に沿って載置する。このとき、トロンボーンの他方のストレート管部３０ｂが下方に向く際には、逃げ凹部１６ａを介して各脚板１６，１６が前記他方のストレート管部３０ｂから退避し、該ストレート管部３０ｂが各脚板１６，１６に当たらなくなる。
【００１５】
この状態で定盤１１の上面１１ａに対する曲がり部３０ａの曲がり量を確認した後、前記トロンボーンを定盤１１から外し、その曲がり部３０ａを手操作で反曲がり方向に撓ませ、該曲がり部３０ａを矯正した後、再度定盤１１に当てて修復具合を確認する。この動作を繰り返して前記曲がり部３０ａがストレート管部３０と同軸となるようにする。また、外れた管同士を溶接する際には、前記定盤１１を取り外し、代わりに作業盤（図示省略）を支持台１３に取り付ける。これにより、前記作業盤上で前記管同士を溶接することができる。
【００１６】
次に、修理台１を持ち運んだり、保管したりする際には、図３に示すように、定盤１１のダボ孔１２を各脚板１６のダボ１７から離脱させ、次いで、図４に示すように、支持台１３の各脚板１６を蝶番１５を介して保持板１４に沿う如く回動させる。次いで、前記離脱した定盤１１を保持板１４に重ねる。さすれば、前記定盤１１と支持台１３とが面状に重なって小型となり、現場への持ち運びが容易になったり、保管する際に保管スペースが低減したりすることになる。
【００１７】
図５、図６は第２実施例を示す。図５、図６において、２０は鋼板製の修理台であり、左右の長さ、前後の幅、及び高さは、第１実施例と略同じとなっている。２２は定盤であり、支持台２１によって水平に支持される。支持台２１は以下の如くなっている。即ち、該定盤２２下面の前後中心部の左右端部に、それぞれ第１蝶番２３を前後に向けて取り付け、各第１蝶番２３の回動片に、それぞれ脚板２４を下方及び内方に向けて回動可能に連結する。２４ａは脚板１４の上下中間部の前部に形成した逃げ凹部である。
【００１８】
また、前記定盤２２の下面後部の左右中間部に、２個の第２蝶番２５を左右に向けて取り付け、各第２蝶番２５の回動片に保持板２６を下方及び後方に向けて回動可能に連結する。該保持板２６は、左右の長さを前記各脚板２４間に密接に嵌合する長さとし、該保持板２６の左右端面２６ａを脚板２４の係合部とする。
【００１９】
これにより、左右の脚板２４を下方に回動させた後、保持板２６を下方に回動させると、図５、図６の実線で示すように、保持板２６が各脚板２４間に介入して各脚板２４の内方への回動を規制、つまり、各脚板２４を起立状態に保持する。また、前記保持板２６を後方に回動させると、図６の仮想線で示すように、保持板２６が各脚板２４間から離脱し、各脚板２４の内方への回動を許容し、図５の仮想線で示すように、各脚板２４が定盤２２の下面に沿う如く、折り畳める。その他は前述した第１実施例と同様の構造となっている。
【００２０】
前記第２実施例によれば、各脚板２４、保持板２６が第１、第２蝶番２３，２５によって定盤２２に回動可能に取り付けられているので、修理台２０の折畳み、及び拡開が迅速に行なえるとともに、持ち運び及び保管時に定盤２２、脚板２４、保持板２６等の構成部品の一部が紛失したりしなくなる。
【図面の簡単な説明】
【００２１】
【図１】本考案の第１実施例を示す一部断面正面図である。
【図２】図１の一部断面側面図である。
【図３】定盤の離脱状態を示す一部断面正面図である。
【図４】支持台の折畳み状態を示す平面図である。
【図５】本考案の第２実施例を示す一部断面正面図である。
【図６】図５の一部断面側面図である。
【図７】従来例を示す正面図である。
【図８】図７のVIII-VIII断面図である。
【符号の説明】
【００２２】
１０（２０）    修理台
１１（２２）    定盤
１１ａ（２２ａ）  上面
１２    ダボ孔
１３（２１）    支持台
１４（２６）    保持板
１５    蝶番
１６（２４）    脚板
１６ａ（２４ａ）  逃げ凹部
１７    ダボ
２３    第１蝶番
２５    第２蝶番
２６ａ  係合部
【図１】
0003131490.tif 000003
【図２】
0003131490.tif 000004
【図３】
0003131490.tif 000005
【図４】
0003131490.tif 000006
【図５】
0003131490.tif 000007
【図６】
0003131490.tif 000008
【図７】
0003131490.tif 000009
【図８】
0003131490.tif 000010